(57)【要約】本発明は、通信システムにおいてチャネル品質情報を送信する方法に関する。本方法は、複数のリソースブロックグループから第１のリソースブロックグループを選択するステップを含んでいる。この第１のリソースブロックグループのチャネル品質情報を報告し、複数のリソースブロックグループの中の、第１のリソースブロックグループの周囲の少なくとも１個の第２のリソースブロックグループ、のチャネル品質情報を報告する、または、第１のリソースブロックグループと、チャネル情報の同じカテゴリ内にある、複数のリソースブロックグループの中の第１のリソースブロックグループの周囲のリソースブロックグループの数、を報告する。
2010536288.tif 000002
【特許請求の範囲】
【請求項１】
通信システムにおいてチャネル品質情報を送信する方法であって、
ａ）複数のリソースブロックグループから第１のリソースブロックグループを選択する選択ステップと、
ｂ）前記第１のリソースブロックグループのチャネル品質情報を報告するステップと、
ｃ）前記複数のリソースブロックグループの中の、前記第１のリソースブロックグループの周囲の少なくとも１個の第２のリソースブロックグループ、のチャネル品質情報を報告するステップ、または、
ｄ）前記第１のリソースブロックグループと、チャネル情報の同じカテゴリ内にある、前記複数のリソースブロックグループの中の、前記第１のリソースブロックグループの周囲のリソースブロックグループの数、を報告するステップと、
を含んでいる、方法。
【請求項２】
前記第１のリソースブロックグループを選択する前記選択ステップが、
最良の信号特性を有するリソースブロックグループを選択するステップ、
を含んでいる、
請求項１に記載の方法。
【請求項３】
前記第１のリソースブロックグループを選択する前記選択ステップが、
最良の平均信号特性を有する、前記複数のリソースブロックグループのサブセット、の中のリソースブロックグループを選択するステップ、
を含んでいる、
請求項１に記載の方法。
【請求項４】
前記第１のリソースブロックグループを選択する前記選択ステップが、
最大のコヒーレンスを有する、前記リソースブロックグループの前記サブセット、の中のリソースブロックグループを選択するステップ
を含んでいる、
請求項１に記載の方法。
【請求項５】
前記チャネル品質情報が、
変調符号化方式インジケータ、トランスポートブロックサイズインジケータ、情報ブロックサイズインジケータ、符号ブロックサイズインジケータ、信号対雑音比、信号対干渉比、チャネル係数、チャネル利得、チャネル減衰、変調方式インジケータ、符号化方式インジケータ、
のうちの１つまたは組合せを備えている、
請求項１〜４のいずれか１項に記載の方法。
【請求項６】
ステップｃ）が、
前記第１のリソースブロックグループの周囲の前記第２のリソースブロックグループにおいてサポート可能な最も高い変調符号化方式を報告するステップ、
を含んでいる、
請求項１〜５のいずれか１項に記載の方法。
【請求項７】
ステップｄ）が、
特定の変調符号化方式をサポートする隣接するリソースブロックグループの数を報告するステップ、
を含んでいる、
請求項１〜５のいずれか１項に記載の方法。
【請求項８】
報告される前記リソースブロックグループの前記数が、ユーザ機器によって設定される、または基地局によって設定される、請求項１〜７のいずれか１項に記載の方法。
【請求項９】
隣接するリソースブロックグループの数が増すと、複数のチャネル品質情報報告が生成される、請求項１〜８のいずれか１項に記載の方法。
【請求項１０】
前記チャネル品質情報のカテゴリが、
変調符号化方式のレベル、トランスポートブロックサイズ、情報ブロックサイズ、符号ブロックサイズ、信号対雑音比の範囲、信号対干渉比の範囲、チャネル係数の範囲、チャネル利得の範囲、チャネル減衰の範囲、変調符号化方式のレベル、のうちの１つまたは組合せを備えている、
請求項１〜９のいずれか１項に記載の方法。
【請求項１１】
ステップｃ）またはステップｄ）が、
前のリソースブロックグループとの差を使用することによって、少なくとも前記第２のリソースブロックグループの前記チャネル情報を報告するステップ、
をさらに含んでいる、
請求項１〜１０のいずれか１項に記載の方法。
【請求項１２】
ステップｃ）またはステップｄ）を繰り返して、同じメッセージまたは別のメッセージにおいて送信される複数の報告を生成する、請求項１〜１１のいずれか１項に記載の方法。
【請求項１３】
ステップｃ）の前記第２のリソースブロックグループと、ステップｄ）のリソースブロックグループの前記数が、前記第１のリソースブロックグループをさらに含んでいる、請求項１〜１２のいずれか１項に記載の方法。
【請求項１４】
通信システムにおいてチャネル品質情報を送信する送信装置であって、
複数のリソースブロックグループから第１のリソースブロックグループを選択するようにされている選択手段と、
前記第１のリソースブロックグループのチャネル品質情報を報告するようにされている送信手段と、
を備えており、
前記送信手段が、前記複数のリソースブロックグループの中の、前記第１のリソースブロックグループの周囲の少なくとも１個の第２のリソースブロックグループ、のチャネル品質情報を報告する、または、前記第１のリソースブロックグループと、チャネル情報の同じカテゴリ内にある、前記複数のリソースブロックグループの中の、前記第１のリソースブロックグループの周囲のリソースブロックグループの数、を報告する、ようにさらにされている、
送信装置。
【請求項１５】
請求項２〜１３のいずれか１項に記載の方法の前記ステップを実行するようにさらにされている、請求項１４に記載の送信装置。
【請求項１６】
受信装置と、チャネル品質情報を送信する送信装置と、を備えている通信システムであって、前記送信装置が、
複数のリソースブロックグループから第１のリソースブロックグループを選択するようにされている選択手段と、
前記第１のリソースブロックグループのチャネル品質情報を報告するようにされている送信手段と、
を備えており、
前記送信手段が、前記複数のリソースブロックグループの中の、前記第１のリソースブロックグループの周囲の少なくとも１個の第２のリソースブロックグループ、のチャネル品質情報を報告する、または、前記第１のリソースブロックグループと、チャネル情報の同じカテゴリ内にある、前記複数のリソースブロックグループの中の、前記第１のリソースブロックグループの周囲のリソースブロックグループの数、を報告する、ようにさらにされている、
通信システム。
【請求項１７】
請求項２〜１３のいずれか１項に記載の方法ステップを実行するようにされている、請求項１６に記載の通信システム。
【請求項１８】
命令を格納しているコンピュータ可読媒体であって、前記命令が送信装置のプロセッサによって実行されたとき、それに起因して、前記送信装置が、以下のステップ、すなわち、
ａ）複数のリソースブロックグループから第１のリソースブロックグループを選択する選択ステップと、
ｂ）前記第１のリソースブロックグループのチャネル品質情報を報告するステップと、
ｃ）前記複数のリソースブロックグループの中の、前記第１のリソースブロックグループの周囲の少なくとも１個の第２のリソースブロックグループ、のチャネル品質情報を報告するステップ、または、
ｄ）前記第１のリソースブロックグループと、チャネル情報の同じカテゴリ内にある、前記複数のリソースブロックグループの中の、前記第１のリソースブロックグループの周囲のリソースブロックグループの数、を報告するステップと、
によって、チャネル品質情報を送信する、
コンピュータ可読媒体。
【請求項１９】
命令を格納しているコンピュータ可読媒体であって、前記命令が送信装置のプロセッサによって実行されたとき、それに起因して、前記送信装置が、請求項２〜１３のいずれか１項に記載の方法の前記ステップを実行する、請求項１８に記載のコンピュータ可読媒体。
【発明の詳細な説明】
【技術分野】
【０００１】
本発明は、送信器と受信器との間の通信の分野に適用することができる。詳細には、本発明は、受信器がフィードバック情報を送信器に送り、このフィードバックが、受信器が経験する通信チャネル条件についての情報を含んでいる、通信システム、に関する。
【背景技術】
【０００２】
チャネル品質情報（ＣＱＩ）の送信
複数の（マルチ）ユーザを中央で管理するシステムにおいては、スケジューラが送信リソースを何人かのユーザに割り当てる。１人または複数の異なるユーザのチャネル条件は、一般的には少なくとも時間および周波数とともに変化するため、好ましくは各ユーザ機器装置からスケジューラエンティティに送信される、何らかの種類のチャネル状態情報またはチャネル品質情報が、スケジューラ側に要求される。
【０００３】
マルチユーザスケジューラのアルゴリズムのほとんど（ラウンドロビンを除く）においては、チャネルが良好な品質を示しているユーザにリソースを最適に割り当てるためには、最も正確なチャネル状態情報が、最も強いリソースブロックの情報であるべきである。この情報は、データの送信においてスペクトル効率を高めるために変調方式あるいは符号化方式をチャネル品質に適合させる場合にも、さらに使用される。
【０００４】
ＣＱＩは、一般的に送信側エンティティから受信側エンティティに送信される。ＵＭＴＳ（ユニバーサル移動通信システム）（ＮｏｄｅＢがマルチユーザ管理エンティティとして機能することができる）におけるような３Ｇ（第３世代）無線ネットワークのコンテキストにおいては、ユーザ機器（ＵＥ）がダウンリンク送信チェーンのＣＱＩを取得し（推定し）、次にユーザ機器がそのＣＱＩをＮｏｄｅＢに送信する。したがって、ＣＱＩの送信に関しては、ユーザ機器が送信側エンティティとして機能し、ＮｏｄｅＢが受信側エンティティとして機能する。
【０００５】
例えば、３ＧＰＰのＷＩ（作業項目）「Long Term Evolution（ＬＴＥ：ロングタームエボリューション）」に記載されているように、（例えばＯＦＤＭを採用する）マルチキャリア通信システムを想定するとき、チャネルリソースは、図２におけるように「リソースブロック」として定義することができる。いま、ＬＴＥに従って割り当てる、または適合させることのできる最小単位を想定すると、理想的な場合にはすべてのユーザのすべてのリソースブロックのＣＱＩがつねに利用可能であるべきである。しかしながら、フィードバックチャネルの容量は制限されているため、これはほとんどの場合に実現できない。したがって、１人のユーザについて例えばリソースブロックのサブセットのみについてＣＱＩ情報を送信できるように、情報量削減手法が必要である。１つの可能な方法は、最も強いリソースブロックのみを報告することである。
【０００６】
本文書において「強い」ＣＱＩまたは「高い」ＣＱＩと表現するとき、これは、高いスペクトル効率においてチャネルを使用できるチャネル品質の情報、または、チャネルリソースを効率的に使用できることを特徴付ける別の評価指標を意味することが、当業者には理解されるであろう。
【０００７】
以下では、いくつかのフィードバック方式について詳しく説明し、これらは非特許文献１にも記載されている。
【０００８】
全情報フィードバック（Full Feedback）
全情報フィードバックを送信する場合、Ｎｒｂｇ個のリソースブロックのそれぞれのＣＱＩ値が送信され、必要な送信ビットの極めて高いコストと引き替えに高い精度の情報が提供される。
【０００９】
Ｂｅｓｔ  Ｍ
Ｂｅｓｔ  Ｍ  Ｉｎｄｉｖｉｄｕａｌは、Ｍ個の最良のリソースブロックについては電力またはＭＣＳを報告し、それ以外のリソースブロックについては平均電力または平均ＭＣＳを報告する（例：非特許文献４）。Ｍがスケジューラおよびユーザ機器に既知であると想定すると、インデックスおよび値のシグナリングが要求される（図４を参照）。
【００１０】
Ｂｅｓｔ  Ｍ  Ａｖｅｒａｇｅは、Ｍ個の最良のリソースブロックの平均電力または平均ＭＣＳを報告し、それ以外のリソースブロックの平均電力または平均ＭＣＳを報告する。Ｍがスケジューラおよびユーザ機器に既知であると想定すると、インデックスおよび平均値のシグナリングのみが要求される。
【００１１】
図３は、チャネルのスナップショットの例と、Ｂｅｓｔ  ５  ＩｎｄｉｖｉｄｕａｌおよびＢｅｓｔ  ５  Ａｖｅｒａｇｅを使用して再構築されたチャネル電力の例示的な状況とを示している。図から理解できるように、Ｂｅｓｔ  ５  Ｉｎｄｉｖｉｄｕａｌでは、最も強い５個のリソースブロック（番号８，９，１０，１８，１９）については正確な情報が提供されるが、それ以外のすべてのリソースブロックについては正確な値から相当に逸脱する。Ｂｅｓｔ  ５  Ａｖｅｒａｇｅは、リソースブロック１８および１９についてはたまたま極めて正確な情報を与えているが、リソースブロック８，９，１０については正確な値から（高い方向および低い方向の両方に）大きく逸脱していることがわかる。同様に、それ以外のすべてのリソースブロックについても、再構築された値は正確な値からの大きな差を示しうる。
【００１２】
平均ＣＱＩ
すべてのリソースブロックの平均ＣＱＩ値を取得して送信する。この方式は、Ｂｅｓｔ  Ｍ＝Ｎｒｂｇ  Ａｖｅｒａｇｅ方式の特殊な場合、すなわちＢｅｓｔ  Ｍ＝０  Ａｖｅｒａｇｅ方式と解釈することができる。この方式は、要求される送信情報量が最小であるが、再構築後のリソースブロックごとのチャネル品質情報に関して提供される精度が一般的に極めて低い。
【００１３】
差値のフィードバック
基本的な原理は、例えば１個のリソースブロックの１つのＣＱＩ値を絶対値として送信し、その値をそれ以外のリソースブロックのＣＱＩ値の基準とすることである。いま、基準ＣＱＩ値と他のＣＱＩ値との間の差がＣＱＩの絶対値よりも大幅に小さいと想定すると、絶対値について要求されるよりも少ないビットを使用してその差を十分に量子化することができる。例えば、絶対値が０〜３１ｄＢの範囲内であり、量子化ステップサイズを１ｄＢとするべきならば、ＣＱＩの絶対値の範囲全体をカバーするためには３２個の値＝５ビットが必要である。近接したＣＱＩ値の間の差が−３〜＋４ｄＢの間でありステップサイズが１ｄＢである場合、このようなＣＱＩ値差には８個の値＝３ビットが必要とされるのみである。同様に、３２個のＭＣＳレベルが存在する場合、このようなＣＱＩの絶対値には５ビットが必要であり、ＭＣＳレベルの差が−３〜＋４の間である場合、ＣＱＩ  ＭＣＳ差の報告に３ビットが要求される。
【００１４】
ＬＴＥ（ロングタームエボリューション）のコンテキストにおいては、差値フィードバックのコンセプトは、時間領域、周波数領域、または空間領域においてＣＱＩ値の高い相関が存在する場合に特に魅力的である。非特許文献２には、ＬＴＥにおける差値フィードバック方式のさらなる詳細および研究内容が記載されている。
【００１５】
しきい値ＣＱＩ
非特許文献１に記載されているように、ＣＱＩ値のみならず対応するＣＱＩインデックスを送信することが要求される圧縮方式が数多く存在している。
【００１６】
さらなる方式として、Ｎｏｋｉａ社によって非特許文献３に提案されている「しきい値方式」では、インデックスフィールドとしてのＲＢビットマップと、インデックスフィールドによってシグナリングされるＲＢ内で最も強いＣＱＩ値を表す１つのＣＱＩ値とを一緒に送信することが要求される。
【００１７】
ＬＴＥダウンリンク送信
ＬＴＥ  ＯＦＤＭダウンリンク（ＵＥがデータの受信側として機能し、ＮｏｄｅＢがデータの送信側として機能する）においては、データを「局在型」モードまたは「分散型」モードにおいて送信することができる。
【００１８】
−  局在型モード：１つのＵＥへの送信用に、隣接するサブキャリアが割り当てられる。
【００１９】
−  分散型モード：同じＵＥのデータを伝えるサブキャリアが、周波数帯域全体に分散している。
【００２０】
ダウンリンクにおけるＬＴＥ局在型モードの場合、リソースブロックによって異なる正確なチャネル品質情報（「ＣＱＩ」）を、ＵＥからｅＮｏｄｅＢにシグナリングしなければならない（図１を参照）。リソースブロック（ＲＢ）が例えば良好なＳＩＮＲ（すなわち良好なＣＱＩ）を示しているとき、それらのリソースブロックが選択される（すなわち「スケジューリングされる」）。適応変調符号化パラメータもＣＱＩによって決定され、これによりスペクトル効率が高まる。
【００２１】
シグナリング
当然ながら、送信側から受信側にＣＱＩを伝えるには情報シンボルを使用する必要がある。このとき、一般性を失うことなく、情報シンボルとしてビットを使用できるものと想定することができる。以降のセクションに定義されている表記法を使用することにより、表１において、このようなシグナリングに要求されるビット数を計算することができる。なお、対数部分はインデックスフィールドのサイズに関連する。
【００２２】
【表１】
2010536288.tif 000003
【００２３】
上述した従来技術のＣＱＩ圧縮方式には、解決すべき以下の問題が存在する。
【００２４】
全情報フィードバック
表１から計算できるように、全情報フィードバック方式では、ＣＱＩをシグナリングするために極めて多数のビットが要求される。この要求条件は、伝送システム、特に、多数のエンティティがＣＱＩ値を報告しなければならないセルラー移動無線システムにおいては、満たすには高すぎる。
【００２５】
Ｂｅｓｔ  Ｍ
Ｂｅｓｔ  Ｍ  Ｉｎｄｉｖｉｄｕａｌ方式においては、最も強いＭ個のリソースユニットについては極めて詳しい情報が送信される。それ以外のすべてのリソースユニットについては、スケジューラにおいて利用可能な情報は極めて基本的なものである。特に、Ｍがかなり小さい場合、ユーザにＭ個を超えるリソースが割り当てられると問題が生じる。そのような場合、いくつかの割り当てリソースは、リソースユニットの平均品質に従って割り当てられるにすぎず、これは当然ながら最適ではない。さらには、その後のリンクアダプテーションも、このような平均値に基づいて行われることになり、結果として準最適なリンクアダプテーションとなり、したがって空間効率が低下する。この問題は、Ｍを大きくすることによって回避することができるが、その場合には多量のフィードバックシグナリングが要求されるという欠点がある。したがって、解決するべき課題は、少量のフィードバックシグナリングを達成することである。
【００２６】
Ｂｅｓｔ  Ｍ  Ａｖｅｒａｇｅ方式においては、問題は二段階である。第一に、Ｍが小さいときには、Ｂｅｓｔ  Ｍ  Ｉｎｄｉｖｉｄｕａｌ方式においてＭが小さい場合に類似する問題が起こる。これに加えて、報告される最良のＭ個のリソースブロックの精度が、Ｂｅｓｔ  Ｍ  Ｉｎｄｉｖｉｄｕａｌ方式におけるほど高くなく、スケジューリングの精度やリンクアダプテーションのパフォーマンスがさらに低下する。
【００２７】
その一方で、単純にＭを大きくしても、Ｂｅｓｔ  Ｍ  Ａｖｅｒａｇｅ方式の挙動が改善される保証はない。たとえシグナリングされるセットの中に含まれるリソースユニットの数が多くても、それらＭ個のリソースの平均をとると、それらのリソースユニットの精度は下がる。
【００２８】
したがって、割り当てあるいはリンクアダプテーションが最も正確となる数および詳細度である最適なＭが存在する。このＭの値を見つけることは、移動体環境またはセルラー環境においては単純ではなく、さらには、たとえこのＭ値を見つけたとしても、この方式の特徴である平均化に起因して、データ伝送において達成可能なデータ伝送スループットは一般的には低い。
【００２９】
平均
平均方式によって伝えられる情報は極めて精度が低いことが、当業者には明らかであろう。ＣＱＩに依存する変調方式または符号化方式を使用して有効なリソーススケジューリングあるいはリンクアダプテーションを実行するためには、平均方式によって提供される精度よりも高い精度が利用できなければならない。
【００３０】
しきい値
上に概説したしきい値ベースの報告は、ＣＱＩ値の送信に要求されるオーバーヘッドを節約できるが、ＣＱＩインデックスフィールドに要求されるオーバーヘッドに関してはむしろ非効率的であり、なぜなら、この方式ではリソースブロックグループ（ＲＢＧ）ごとに１ビットを用いるビットマップが要求されるためである。さらには、この報告には、限られた数のＲＢＧについて１つの信号対雑音比（ＳＮＲ）値のみが含まれている。したがって、利用可能なＣＱＩデータが存在しないＲＢＧをスケジューラが割り当ててしまうと、スペクトル効率が浪費される。
【先行技術文献】
【非特許文献】
【００３１】
【非特許文献１】3GPP TSG-RAN WG1 Meeting #46bis (TDoc R1-062808, 09-13 October in Seoul, Korea)
【非特許文献２】3GPP TSG-RAN WG1 Meeting #47bis (TDoc R1-070362, 15th - 19th January, 2007 in Sorrento, Italy)
【非特許文献３】3GPP TSG-RAN WG1#47bis (TDocR1-070397 (R1-063384) Sorrento, Ital, January 15th -19th, 2007)
【非特許文献４】R1-061819 Huawei
【発明の概要】
【発明が解決しようとする課題】
【００３２】
上述した問題に鑑み、本発明の１つの目的は、オーバーヘッドコストの小さい、良好かつ周波数選択的なＭＣＳ報告を達成することである。
【００３３】
本発明のもう１つの目的は、強いＲＢＧについて平均ＭＣＳレベルよりも多くのことを報告することである。
【００３４】
本発明のさらなる目的は、インデックスのシグナリング量を低減することである。
【課題を解決するための手段】
【００３５】
これらの目的の少なくとも１つは、独立請求項の手段によって解決される。本発明の有利な実施形態は、従属請求項の主題である。
【００３６】
本発明は、通信システムにおいてチャネル品質情報を送信する方法、送信装置、通信システム、およびコンピュータ可読媒体に関する。複数のリソースブロックグループから第１のリソースブロックグループを選択し、第１のリソースブロックグループのチャネル品質情報を報告する。複数のリソースブロックグループの中の、第１のリソースブロックグループの周囲の少なくとも１個の第２のリソースブロックグループ、のチャネル品質情報を報告する、または、第１のリソースブロックグループと、チャネル情報の同じカテゴリ内にある、複数のリソースブロックグループの中の、第１のリソースブロックグループの周囲のリソースブロックグループの数、を報告する。
【００３７】
本発明の一態様によると、第１のリソースブロックグループを選択するステップは、最良の信号特性を有するリソースブロックグループを選択するステップを含んでいる。
【００３８】
本発明のさらなる態様においては、第１のリソースブロックグループを選択するステップは、最良の平均信号特性を有する、複数のリソースブロックグループのサブセット、の中のリソースブロックグループを選択するステップを含んでいる。
【００３９】
本発明の一実施形態においては、第１のリソースブロックグループを選択するステップは、最大のコヒーレンスを有する、リソースブロックグループのサブセット、の中のリソースブロックグループを選択するステップを含んでいる。
【００４０】
本発明の例示的な一実施形態によると、チャネル品質情報は、変調符号化方式インジケータ、トランスポートブロックサイズインジケータ、情報ブロックサイズインジケータ、符号ブロックサイズインジケータ、信号対雑音比、信号対干渉比、チャネル係数、チャネル利得、チャネル減衰、変調方式インジケータ、符号化方式インジケータ、のうちの１つまたは組合せ、を備えている。チャネル品質情報は、マルチアンテナ伝送に関連する要素（例えば、プリコーディングインジケータ、送信ランクインジケータなど）をさらに備えていることができる。
【００４１】
本発明の別の実施形態によると、少なくとも１個の第２のリソースブロックグループのチャネル品質情報を報告するステップは、第１のリソースブロックグループの周囲の第２のリソースブロックグループにおいてサポート可能な最も高い変調符号化方式を報告するステップを含んでいる。
【００４２】
本発明の別の実施形態によると、少なくとも１個の第２のリソースブロックグループのチャネル品質情報を報告するステップは、特定の変調符号化方式をサポートする、第２のリソースブロックグループに隣接するリソースブロックグループの数、を報告するステップ、を含んでいる。
【００４３】
本発明の別の実施形態においては、報告されるリソースブロックグループの数は、ユーザ機器によって設定される、または基地局によって設定される。
【００４４】
本発明の別の有利な実施形態においては、隣接するリソースブロックグループの数が増すと、複数のチャネル品質情報報告が生成される。
【００４５】
本発明のさらなる有利な実施形態においては、チャネル品質情報のカテゴリは、変調符号化方式のレベル、トランスポートブロックサイズ、情報ブロックサイズ、符号ブロックサイズ、信号対雑音比の範囲、信号対干渉比の範囲、チャネル係数の範囲、チャネル利得の範囲、チャネル減衰の範囲、のうちの１つまたは組合せ、を備えている。
【００４６】
本発明のさらなる有利な実施形態によると、複数のリソースブロックグループの中の、第１のリソースブロックグループの周囲の少なくとも１個の第２のリソースブロックグループ、のチャネル品質情報を報告するステップは、前のリソースブロックグループのチャネル情報との差を使用することによって、少なくとも第２のリソースブロックグループのチャネル情報を報告するステップ、を含んでいる。
【００４７】
複数のリソースブロックグループの中の、第１のリソースブロックグループの周囲の少なくとも１個の第２のリソースブロックグループ、のチャネル品質情報を報告するステップ、または、第１のリソースブロックグループと、チャネル情報の同じカテゴリ内にある、複数のリソースブロックグループの中の、第１のリソースブロックグループの周囲のリソースブロックグループの数、を報告するステップ、を繰り返して、同じメッセージまたは別のメッセージにおいて送信される複数の報告を生成することは、有利である。
【００４８】
以下では、本発明について、添付の図面を参照しながらさらに詳しく説明する。図面の中の類似または対応する細部には、同じ参照数字を付してある。
【図面の簡単な説明】
【００４９】
【図１】通信システムにおける、ｅＮｏｄｅＢとＵＥとの間の例示的な信号の流れを示している。
【図２】使用している用語および記号を視覚的に描いてある。
【図３】Ｂｅｓｔ  Ｍによる再構築後の、リソースユニットのインデックス（横軸）および電力（縦軸）としてのチャネル品質のスナップショットの例を示している。
【図４】インデックスフィールドおよび値フィールドを視覚的に説明してある。
【図５】２５個のＲＢＧの場合における例示的な圧縮方式によるインデックスフィールドおよび値フィールドの例示的なサイズを示している。
【図６】本発明の実施形態を示している。
【図７】本発明の別の実施形態を示している。
【図８】本発明のさらなる実施形態を示している。
【図９】本発明の別の実施形態を示している。
【発明を実施するための形態】
【００５０】
本文書において使用している用語「圧縮」は、一般的には、チャネル品質情報をフィードバックするためのオーバーヘッドが、背景技術セクションに説明した「全情報フィードバック」の場合と比較して低減する、チャネル品質情報の提供方式を意味することに留意されたい。
【００５１】
さらには、本文書において使用している用語「リソースユニット」またはこれと同等の意味の「リソースブロックグループ（ＲＢＧ）」は、チャネル品質の測度を取得する対象であるチャネルの複数のリソースユニットの１つを意味することに留意されたい。したがって、チャネル品質の報告は、リソースユニットを単位として実行することができる。さらに、このリソースユニットは、（例えばスケジューリングによって）ユーザに割り当てることのできる、チャネルの最小リソース量を表すリソースブロックに等しいものとすることができ、または等しくなくてもよい。例えば、ＯＦＤＭＡシステムにおいて、リソースユニットは、時間領域における１つのサブフレームのリソースと、周波数領域におけるサブバンドのリソースを意味しうるのに対して、リソースブロックは、時間領域におけるサブフレームと、周波数領域における（１つのサブバンドの）サブキャリアを意味する。
【００５２】
本発明の別の実施形態においては、リソースユニットは、チャネルの状態が実質的に平坦である、（時間領域または周波数領域における）時間範囲または周波数範囲（サブキャリア）（例えば、コヒーレンス時間またはコヒーレンス帯域幅）を意味し、これは、通信システムにおけるそれぞれの最小リソース量（例えば、リソースブロック、サブフレーム、ＴＴＩ）の倍数とすることができ、あるいは倍数でなくてもよい。
【００５３】
本発明においては、特定のＲＢＧ（好ましくは最も強いＲＢＧ、または強いＲＢＧ領域内のＲＢＧ）についてと、複数の近接したＲＢＧについて、ＣＱＩ（例：ＭＣＳ）値を報告する。前者の特定のＲＢＧのみを、ＣＱＩインデックスフィールドによって明示的にシグナリングする。この特定のＲＢＧの近接したＲＢＧのＣＱＩを報告することによって、チャネルのコヒーレンスを利用する。
【００５４】
以下の説明おいて、用語「近接した」は、選択されたＲＢＧ周囲の１個以上のＲＢＧを意味する。このようなＲＢＧが、近接したＲＢＧである。
【００５５】
データの受信側からデータの送信側へのフィードバック報告においてチャネル品質を報告する目的で、チャネル条件を測定し、報告に要求されるデータの量が減少するように、圧縮する。この圧縮は、特定のリソースインデックスへのポインタと、そのリソースのチャネルの品質と、隣接するリソースのチャネルの品質とを単に報告することによって、達成される。
【００５６】
本発明においては、最も強いリソースブロックのインデックスをシグナリングし、ユーザ機器のパフォーマンスに基づく目標のブロック誤り率に達することのできる最も高いＣＱＩ（例：ＭＣＳ）を報告する。隣接する無線ブロックの追加情報を報告する。
【００５７】
本発明の第１の実施形態においては、最も強いリソースブロックに隣接するリソースブロックにおいてサポート可能な最も高いＭＣＳを報告し、本発明の別の実施形態においては、特定のＭＣＳをサポートする隣接するリソースブロックの数を報告する。これらの実施形態について、以下にさらに詳しく説明する。
【００５８】
図６は、最も強いリソースブロックグループのインデックスと、この最も強いリソースブロックグループの符号化方式の報告を送信する状況を示している。最も強いリソースブロックグループおよび２個の隣接するリソースブロックグループの変調符号化方式を報告し、５個のリソースブロックグループの１つのＭＣＳを報告し、７個のリソースブロックグループの１つのＭＣＳを報告し、すべてのリソースブロックグループの１つのＭＣＳの報告を送信する。これにより、報告のサイズは、インデックスの５ビットと、ＭＣＳ値の５×５ビットとの和となる。
【００５９】
図６に示したこの実施形態においては、「前の」ＭＣＳに対するＭＣＳ差を使用することによって、ビットを節約することができる。例えば、１個のリソースブロックのＭＣＳに対する３個のリソースブロックのＭＣＳ、あるいは３個のリソースブロックのＭＣＳに対する５個のリソースブロックのＭＣＳを取得することにより、送信する必要のある値の範囲を小さくすることができる。
【００６０】
図７は、本発明の別の実施形態を示している。この実施形態においては、最も強いリソースブロックを報告し、この最も強いリソースブロックグループのＭＣＳ（ＭＣＳｔｏｐ）と、２５個すべてのリソースブロックグループのＭＣＳとを報告する。ＭＣＳｔｏｐ＋ΔＭＣＳ、ＭＣＳｔｏｐ＋２ΔＭＣＳ、およびＭＣＳｔｏｐ＋３ΔＭＣＳをサポートする、隣接するリソースブロックグループの数を報告する。この場合、報告のサイズは、インデックスの５ビットと、ＭＣＳ値の２×５ビットと、隣接するリソースブロックグループの数の３×４ビットとの和である。この実施形態においても、前の隣接するリソースブロックに対する、隣接するリソースブロックの差を使用することによって、ビットを節約することができる。すなわち、１ΔＭＣＳに対する、２ΔＭＣＳにおける隣接するリソースブロックグループの数、あるいは２ΔＭＣＳに対する、３ΔＭＣＳにおける隣接するリソースブロックグループの数を送信する。
【００６１】
チャネル品質の測度
チャネル品質フィードバックの測度は、以下のそれぞれ、または組合せによって表すことができる。
【００６２】
−  変調符号化方式（「ＭＣＳ」）インジケータ
−  （トランスポート／情報／符号）ブロックサイズインジケータ
−  信号対雑音比
−  信号対干渉比
−  チャネル係数
−  チャネル利得またはチャネル減衰
−  変調方式インジケータ
−  符号化方式インジケータ
【００６３】
詳細な説明において広く使用している「最も強いリソースユニット」などの表現は、変調符号化方式、信号対雑音比、または信号対干渉比、あるいは一般的には、信号強度に関連する任意の測度、または信号強度から導くことのできる任意の測度を意味していることが、当業者には明らかであろう。しかしながら、上述した以外の測度の解釈を、変更すべきところは変更して適合させることができる。例えば、強い信号対干渉比を、高次変調方式（例えば、１６−ＱＡＭ、６４−ＱＡＭなど）を示す変調方式インジケータとして、あるいは、弱い符号化方式を（例えば高い符号化率によって）示す符号化方式インジケータとして、あるいは、多数のビットを伝送できることを示すトランスポートブロックサイズインジケータとして、表現することもできる。当業者には、別の測度または任意の測度の組合せの対応する解釈を容易に導くことができるであろう。
【００６４】
チャネル品質の測度は、以下の次元のそれぞれまたは組合せによって求めることができる。
【００６５】
−  時間単位（例えば、タイムスロット、リソースブロック、無線フレーム、サブフレーム、送信時間間隔、ミリ秒など）
−  周波数単位（例えば、送信帯域幅、キャリア帯域幅、サブバンド、リソースブロックなど）
−  アンテナ単位（例えば、送信アンテナ、受信アンテナ、アンテナアレイ装置、ＭＩＭＯチャネルなど）
−  符号単位（例えば、拡散符号数、ＩＤ）
−  極性角度（例えば、水平、垂直、円形など）
【００６６】
以下は、最新の伝送技術における例であり、当業者には、本発明を有利に使用する方法がさらに詳しく理解されるであろう。
【００６７】
ＦＤＭ（Ａ）伝送
ＦＤＭ（Ａ）（周波数分割多重）伝送方式においては、周波数領域におけるＮｒｂｇ個のデータリソースが利用可能である。したがって、チャネル品質の測度も、Ｎｒｂｇ個の値の周波数領域変数として取得することができる。
【００６８】
なお、この方法は、ＯＦＤＭ（Ａ）の特殊な場合においても使用することができ、なぜなら、ＯＦＤＭ（Ａ）はＦＤＭ（Ａ）送信の特殊な場合とみなすことができるためである。
【００６９】
マルチアンテナ伝送方式においては、チャネル品質値がアンテナごとに異なりうる。このことは、送信アンテナおよび受信アンテナの両方にあてはまることが、当業者には認識されるであろう。特に、ＭＩＭＯ技術に関しては、通信システムは一般的にＮＭＩＭＯ個のＭＩＭＯデータストリームから構成されており、例えば各ストリームがＦＤＭ伝送方式を使用している場合、ストリームそれぞれについて複数のチャネル品質測度を取得することができる。このような場合、ＭＩＭＯデータストリームのそれぞれに、提案する方式を採用することが可能である。
【００７０】
あるいは、ＭＩＭＯデータストリームそれぞれについて、ＣＱＩ値を報告させる対象の特定のＲＢＧを指し示す１つのインデックスフィールドのみを使用する。このインデックスは、ＦＤＭの場合にインデックスを識別するための概説した方法に従って、周波数領域の代わりにマルチストリーム領域とし、変更すべきところは変更したうえで、取得することができる。
【００７１】
エッジの挙動
近接したＲＢＧについて報告するときにリソースのエッジを超えることが起こり得ることに留意されたい。例えば、ＲＢＧの総数が２５であり（１から２５までのインデックスが対応していると想定する）、明示的に報告させるＲＢＧがインデックス番号２３である場合、サポート可能なＭＣＳについて３個以上の近接したＲＢＧを考慮するとき、エッジの挙動の問題が生じる。
【００７２】
一実施形態においては、エッジに遭遇した時点で、そのエッジまでのＲＢＧのみを考慮する（通常、これは片側の（one-sided）問題である）。したがって、本例においては、ＭＣＳを求めるために３個の近接したＲＢＧを考慮する場合、ＲＢＧインデックス２０〜２５を使用する（２６は存在しないため無視する）。
【００７３】
別の実施形態においては、エッジに達したときＲＢＧインデックスが最初に戻る。本例においては、３個の近接したＲＢＧを使用する場合、ＲＢＧインデックス２０〜２５および１を使用する。
【００７４】
この方式は、例えばＭＩＭＯパラメータ（例えばプリコーディングベクトルインデックス）を報告するために採用することもできる。
【００７５】
近接したＲＢＧのＣＱＩを報告するとき、隣接領域に含まれているすべてのＲＢＧについてＣＱＩを報告することを想定してきた。言い換えれば、明示的にシグナリングされるＲＢＧがインデックス番号２０であり、１個の近接したＲＢＧを報告させる場合、インデックス１９〜２１のＣＱＩが報告される。
【００７６】
代替実施形態においては、インデックス１９およびインデックス２１のＣＱＩのみを報告する。この代替実施形態においては、一般的に、少ない近接ＲＢＧを有するＣＱＩによって包含されていない、近接したＲＢＧについてのみ、ＣＱＩが報告される。この方式では、ＣＱＩ報告に１個、２個、３個の近接したＲＢＧを含める場合、（本例においては）ＲＢＧ２０、ＲＢＧ１９および２１、ＲＢＧ１８および２２、ＲＢＧ１７および２３のＣＱＩ値が報告される。
【００７７】
より多角的な報告とする目的で、インデックスによって２個以上のＲＢＧを指し示すことができ、各ＲＢＧは、それぞれの近接したＲＢＧの報告における基準点の役割を個別に果たす。
【００７８】
より多くの周波数（多島状（multi-island））が報告されるように、複数探索報告を使用することができる。これらの多島状報告は、同じメッセージまたは別のメッセージにおいて送信することができる。すべてのリソースブロックに対応するＭＣＳは、必ずしもこの報告に含める必要はなく、なぜなら、このＭＣＳはＰＵＣＣＨ  ＣＱＩ報告によって提供できるためである（ＰＵＣＣＨ  ＣＱＩ報告については本出願においては詳しく説明しない）。
【００７９】
本発明の一実施形態においては、ΔＲＢＧの値がユーザ機器によって決定される場合、あるいはｅＮｏｄｅＢによって設定できる場合、ＣＱＩのフィードバックまたはその他のフィードバックにΔＲＢＧの値を含めることができる。
【００８０】
本発明の一実施形態においては、ΔＭＣＳの値がユーザ機器によって決定される場合、あるいはｅＮｏｄｅＢによって設定できる場合、ＣＱＩのフィードバックまたはその他のフィードバックにΔＭＣＳの値を含めることができる。
【００８１】
シグナリングするリソースブロックは、必ずしも最も強いリソースブロックである必要はなく、最も強い領域内にあるリソースブロック、あるいは最大コヒーレンスを有する領域内にあるリソースブロックなどとすることもできる。このことは図８および図９に示してあり、特に、多島状報告の場合にあてはまる。
【００８２】
図８は、最も強い領域に基づく場合の一例を示しており、この例においては、最も強い領域内のリソースブロックと、そのリソースブロックグループのＭＣＳと、両側の１個の隣接するリソースブロックグループのＭＣＳと、両側の２個の隣接するリソースブロックグループのＭＣＳと、両側の３個の隣接するリソースブロックグループのＭＣＳと、すべてのリソースブロックグループのＭＣＳとが報告される。この場合、報告のサイズは、インデックスの５ビットと、ＭＣＳ値の５×５ビットとの和である。このようなフェージング状況の場合、矢印で示したリソースブロックグループを中央とすると、この中央のリソースブロックグループは最も強いリソースブロックグループではないが、５個のリソースブロックグループを割り当てるうえでより良好である。中央のリソースブロックグループを選択する別の方法は、隣接するＮ個のリソースブロックグループのチャネル品質が最も高いリソースブロックグループを選択することである。
【００８３】
図９は別の例を示しており、この例においては、最も強いリソースブロックグループが、最も強い領域内の中央のリソースブロックグループとして選択されていない。報告は、最も強い領域内のリソースブロックグループと、このリソースブロックグループのＭＣＳ（ＭＣＳｔｏｐ）と、２５個すべてのリソースブロックグループのＭＣＳとが送られる。ＭＣＳｔｏｐ＋ΔＭＣＳ、ＭＣＳｔｏｐ＋２ΔＭＣＳ、およびＭＣＳｔｏｐ＋３ΔＭＣＳをサポートする、隣接するリソースブロックグループの数が報告される。報告のサイズは、インデックスの５ビットと、ＭＣＳ値の２×５ビットと、隣接するリソースブロックグループの数の３×４ビットとの和である。
【００８４】
本発明の恩恵として、要求されるシグナリングオーバーヘッドが小さいことが挙げられ、なぜなら、個々のリソースブロックを報告する方式（例えば、Best M Individual）と比較してインデックスフィールドのサイズが低減するためである。周波数選択的な報告も可能であり、なぜなら、平均ＭＣＳが報告されるのみならず、隣接するブロックのより正確なＭＣＳが提供されるためである。このことは、大きいコヒーレンス帯域幅を有するチャネル（例えば歩行者環境などにおけるチャネル）の場合に、特に有利である。
【００８５】
本発明のもう１つの実施形態は、上述したさまざまな実施形態を、ハードウェアおよびソフトウェアを使用して実施することに関する。本発明のさまざまな実施形態は、コンピューティングデバイス（プロセッサ）を使用して実施または実行できることが認識される。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブルロジックデバイスとすることができる。本発明のさまざまな実施形態は、これらのデバイスの組合せによって実行あるいは具体化することもできる。
【００８６】
さらに、本発明のさまざまな実施形態は、ソフトウェアモジュールによって実施することもでき、これらのソフトウェアモジュールは、プロセッサによって実行される、あるいはハードウェアにおいて直接実行される。さらに、ソフトウェアモジュールとハードウェア実装とを組み合わせることも可能である。ソフトウェアモジュールは、任意の種類のコンピュータ可読記憶媒体、例えば、ＲＡＭ、ＥＰＲＯＭ、ＥＥＰＲＯＭ、フラッシュメモリ、レジスタ、ハードディスク、ＣＤ−ＲＯＭ、ＤＶＤなどに格納することができる。
【００８７】
ここまでの段落では、本発明のさまざまな実施形態およびそのバリエーションを説明してきた。本発明には、具体的な実施形態に示したように、広義に記載されている本発明の概念または範囲から逸脱することなく、膨大なバリエーションもしくは変更形態を創案できることが、当業者には理解されるであろう。
【００８８】
さらに、ほとんどの実施形態は、３ＧＰＰをベースとする通信システムに関連して概説してあり、ここまでの説明において使用されている専門用語は、主として３ＧＰＰの専門用語に関連していることに留意されたい。しかしながら、専門用語と、さまざまな実施形態の説明とが、３ＧＰＰをベースとするアーキテクチャに関連していることは、本発明の原理および発想をそのようなシステムに限定することを意図するものではない。
【００８９】
さらに、上の背景技術に示した詳細な説明は、本明細書中に説明した、ほとんどが３ＧＰＰに固有な例示的な実施形態を理解することを目的としており、移動通信ネットワークにおけるプロセスおよび機能の、説明した特定の実施形態に、本発明を制限するものではないことを理解されたい。しかしながら、本文書に提案されている改良・改善は、背景技術セクションに説明したアーキテクチャにただちに適用することができる。さらには、本発明のコンセプトは、３ＧＰＰによって現在討議されているＬＴＥ  ＲＡＮにおいても、ただちに使用することができる。
【００９０】
（使用する頭字語および符号の一覧）
Ｄ  １つの係数、ＳＩＮＲ値、ＭＣＳレベル、トランスポートブロックサイズなどを送信するために使用されるビット数
ＬＴＥ  ロングタームエボリューション
ＭＣＳ  変調符号化方式
Ｎｒｂｇ  リソースブロックグループの総数
ＲＢＧ  リソースブロックグループ
【数１】
2010536288.tif 000004
【数２】
2010536288.tif 000005
【図１】
2010536288.tif 000006
【図２】
2010536288.tif 000007
【図３】
2010536288.tif 000008
【図４】
2010536288.tif 000009
【図５】
2010536288.tif 000010
【図６】
2010536288.tif 000011
【図７】
2010536288.tif 000012
【図８】
2010536288.tif 000013
【図９】
2010536288.tif 000014
【国際調査報告】
2010536288.tif 000015
2010536288.tif 000016
2010536288.tif 000017